【事件の表示】
　特許第３４５２６８４号「記録媒体の処理方法及び記録媒体の処理装置」の請求項１ないし６に係る特許に対する特許異議の申立てについて、次のとおり決定する。
【結　論】
　訂正を認める。
　特許第３４５２６８４号の請求項１ないし６に係る特許を取り消す。
【理　由】
 （１）手続の経緯
　特許第３４５２６８４号の請求項１〜６に係る発明は、平成７年５月１日（優先権主張平成７年３月９日）に特許出願され、平成１５年７月１８日にその特許の設定登録がなされ、その後特許異議申立人小川鐵夫により特許異議の申立がなされ、取消理由通知がなされ、その指定期間内である平成１６年１２月２１日に訂正請求がなされたものである。
　
（２）訂正の適否についての判断
　（ア）訂正の内容
訂正事項ａ
　特許請求の範囲の請求項１を、次のように訂正する。
「【請求項１】 
　第１の記録媒体に記録された画像情報を搬送装置の露光ステージ上の画像焼付け位置に配置した第２の記録媒体に記録し、画像情報の記録された第２の記録媒体を搬送装置にて画像焼付け位置から搬送処理装置へ搬送し、搬送された第２の記録媒体を搬送処理装置で搬送しながら所定の処理を行う記録媒体の処理方法であって、
　画像情報の記録された第２の記録媒体を、第２の記録媒体に接触する振分手段で露光ステージ上で露光ステージから搬送処理装置へ搬送する方向とは交差する方向に移動させ、第２の記録媒体を複数列で並列搬送処理することを特徴とする記録媒体の処理方法。」
　
訂正事項ｂ
　特許請求の範囲の請求項２を、次のように訂正する。
「【請求項２】 
　第１の記録媒体に記録された画像情報を搬送装置の露光ステージ上の画像焼付け位置に配置した第２の記録媒体に記録し、画像情報の記録された第２の記録媒体を搬送装置にて画像焼付け位置から搬送処理装置へ搬送し、搬送された第２の記録媒体を搬送処理装置で搬送しながら所定の処理を行う記録媒体の処理装置であって、
　露光ステージに配置した第２の記録媒体を、第２の記録媒体に接触することで露光ステージから搬送処理装置へ搬送する方向とは交差する方向に露光ステージ上で移動させる振分手段を設けたことを特徴とする記録媒体の処理装置。」
　
訂正事項ｃ
　明細書中の段落【０００６】を、次のように訂正する。
「【０００６】
　　【課題を解決するための手段】
　請求項１に記載の発明は、第１の記録媒体に記録された画像情報を搬送装置の露光ステージ上の画像焼付け位置に配置した第２の記録媒体に記録し、画像情報の記録された第２の記録媒体を搬送装置にて画像焼付け位置から搬送処理装置へ搬送し、搬送された第２の記録媒体を搬送処理装置で搬送しながら所定の処理を行う記録媒体の処理方法であって、画像情報の記録された第２の記録媒体を、第２の記録媒体に接触する振分手段で露光ステージ上で露光ステージから搬送処理装置へ搬送する方向とは交差する方向に移動させ、第２の記録媒体を複数列で並列搬送処理することを特徴としている。」
　
訂正事項ｄ
　明細書中の段落【０００７】を、次のように訂正する。
「【０００７】
　請求項２に記載の発明は、第１の記録媒体に記録された画像情報を搬送装置の露光ステージ上の画像焼付け位置に配置した第２の記録媒体に記録し、画像情報の記録された第２の記録媒体を搬送装置にて画像焼付け位置から搬送処理装置へ搬送し、搬送された第２の記録媒体を搬送処理装置で搬送しながら所定の処理を行う記録媒体の処理装置であって、露光ステージに配置した第２の記録媒体を、第２の記録媒体に接触することで露光ステージから搬送処理装置へ搬送する方向とは交差する方向に露光ステージ上で移動させる振分手段を設けたことを特徴としている。」
　
訂正事項ｅ
　明細書中の段落【００１２】を、次のように訂正する。
「【００１２】
　　【作用】
　本発明では、先ず、第１の記録媒体に記録された画像情報が露光ステージ上の画像焼付け位置に配置された第２の記録媒体に記録される。画像情報の記録された第２の記録媒体は、露光ステージ上で、画像焼付け位置から搬送処理装置へ搬送する方向とは交差する方向に振分手段で移動される。移動された第２の記録媒体は、搬送装置によって搬送処理装置へ搬送され、第２の記録媒体は搬送処理装置にて搬送されながら所定の処理が行われる。」
　
　（イ）訂正の目的の適否、新規事項の有無及び拡張・変更の存否
　訂正事項ａ、ｂに係る訂正は、特許請求の範囲の減縮に該当し、実質的に特許請求の範囲を拡張又は変更するものではないし、新規事項の追加にも該当しない。
　
　訂正事項ｃ、ｄ、ｅに係る訂正は、明瞭でない記載の釈明に該当し、実質的に特許請求の範囲を拡張又は変更するものではないし、新規事項の追加にも該当しない。
　
　（ウ）むすび
　以上のとおりであるから、上記訂正は、特許法等の一部を改正する法律（平成６年法律第１１６号）（以下「平成６年改正法」という。）附則第６条第１項の規定によりなお従前の例によるとされる、特許法第１２０条の４第３項において準用する平成６年改正法による改正前の特許法第１２６条第１項ただし書及び第２項の規定に適合するので、当該訂正を認める。
　
（３）特許異議の申立について
　（ア）申立の理由の概要
　特許異議申立人小川鐵夫は、証拠として甲第１号証（特開平５−１８１２０７号公報）を提出し、本件請求項１〜３に係る発明の特許は、甲第１号証に記載された発明であり、本件請求項１〜６に係る発明の特許は、甲第１号証記載の発明に基づいて当業者が容易に発明することができたものであるので、特許法第２９条第１項第３号、あるいは、第２９条第２項の規定に違反してなされたものである。したがって、本件請求項１〜６に係る発明の特許を取り消すべき旨主張している。
　
　（イ）本件請求項１〜６に係る発明
　本件請求項１〜６に係る発明は、上記訂正に係る訂正明細書の特許請求の範囲の請求項１〜６に記載された事項により特定される次のとおりのものである。
「【請求項１】 
　第１の記録媒体に記録された画像情報を搬送装置の露光ステージ上の画像焼付け位置に配置した第２の記録媒体に記録し、画像情報の記録された第２の記録媒体を搬送装置にて画像焼付け位置から搬送処理装置へ搬送し、搬送された第２の記録媒体を搬送処理装置で搬送しながら所定の処理を行う記録媒体の処理方法であって、
　画像情報の記録された第２の記録媒体を、第２の記録媒体に接触する振分手段で露光ステージ上で露光ステージから搬送処理装置へ搬送する方向とは交差する方向に移動させ、第２の記録媒体を複数列で並列搬送処理することを特徴とする記録媒体の処理方法。
　
【請求項２】 
　第１の記録媒体に記録された画像情報を搬送装置の露光ステージ上の画像焼付け位置に配置した第２の記録媒体に記録し、画像情報の記録された第２の記録媒体を搬送装置にて画像焼付け位置から搬送処理装置へ搬送し、搬送された第２の記録媒体を搬送処理装置で搬送しながら所定の処理を行う記録媒体の処理装置であって、
　露光ステージに配置した第２の記録媒体を、第２の記録媒体に接触することで露光ステージから搬送処理装置へ搬送する方向とは交差する方向に露光ステージ上で移動させる振分手段を設けたことを特徴とする記録媒体の処理装置。
　
【請求項３】 
　振分手段は、第２の記録媒体を吸着する振分用吸着手段を有することを特徴とする請求項２に記載の記録媒体の処理装置。
　
【請求項４】 
　振分手段は、第２の記録媒体の端部を押して移動させる移動部材を有することを特徴とする請求項２に記載の記録媒体の処理装置。
　
【請求項５】 
　露光ステージは、第２の記録媒体を吸着する吸着手段を備え、振分手段が第２の記録媒体を移動させる際には吸着力を低下することを特徴とする請求項２乃至４の何れか１項に記載の記録媒体の処理装置。
　
【請求項６】 
　搬送装置が第２の記録媒体を搬送する際には、振分用吸着手段の吸着力を低下させることを特徴とする請求項３又は請求項５に記載の記録媒体の処理装置。」
　
　（ウ）引用刊行物
　本件請求項１〜６に係る発明に対して、当審が平成１６年１０月１３日付で通知した取消理由で引用した刊行物１〔甲第１号証（特開平５−１８１２０７号公報）〕には、次のような記載がある。
「【０００１】
【産業上の利用分野】・・・本発明は・・・３Ｄ立体写真および普通の写真の焼付現像装置に関する。」（第２頁左欄第９〜１５行）
　
「【従来の技術】・・・
【００１２】通常写真の焼付現像工程では、ネガ、印画紙を搬送する手段と固定式のレンズ及び露光台、現像、乾燥を行う手段を備えた焼付現像装置を使用している。」（第２頁左欄第１７行〜同頁右欄第２０行）
　
「【００３０】図示された装置の動作は以下の通りである。ペーパーロール６により駆動ローラー３によって引き出されたペーパーはカッター７で所定の長さに切断される。切断されたペーパーは露光台１に吸着されながら露光位置まで搬送される。露光台１はスライド軸１８に支持されていてスライドモーター４、スライドネジ８によってペーパー搬送方向と直角方向に移動させられる。・・・
【００３１】露光終了後、３Ｄ立体写真も通常写真も同様にペーパーは再び露光台１によって搬送され、出口ローラー５を経てペーパープロセサー１１に送り込まれる。ペーパープロセサー内ではローラーによって搬送・処理されて、乾燥部出口２より仕上がったプリントが出てくる。
【００３２】・・・露光台を移動可能とすることによりペーパーロールから駆動ローラーによって供給されるペーパーを２レーン以上に振り分けることも可能となる。現像処理では通常写真に比較すると３Ｄ立体写真の場合は処理速度が遅くなるが、ペーパーを２レーン以上に振り分けることにより処理能力の向上を図ることが出来る。」（第３頁右欄第９〜３７行）
　
「【００３６】
【実施例】本発明の写真焼付現像装置の実施例を図面とともに説明する。図２は本発明の写真焼付現像装置の露光台において、感光紙を２レーンに振り分け、処理レーンを変更する実施例について示す図面である。・・・
【００３７】露光台１は搬送ベルト１６を介してスライド軸１８上に設置されており、スライドネジ８と固定ブロック１９により固定されている。挿入ローラー１３から送り出されたペーパーはＢ方向へ搬送され、送りローラー１５により送り出される。また、露光台１は、Ａ方向に移動が可能で、ペーパーを図中点線で示す位置に移動させ、送り出すことも可能となる。
【００３８】このような方式により、ペーパーを何列にも送り出すことが出来ることから、露光台１の位置を変えて露光を行い、プロセサーへ送り出す際にはこの露光台の移動を利用して２列にふりわけて流すことにより、３Ｄ立体写真の処理能力の低下を防ぐことが出来る。」（第４頁左欄第１６〜３４行）
　
　刊行物１には、『ペーパーは露光台に吸着されながら露光位置まで搬送される。』（第３頁右欄第１２〜１３行）、『露光終了後、・・・ペーパーは再び露光台によって搬送され』（第３頁右欄第２２〜２３行）の記載があること、及び、刊行物１の図２に示された装置において、露光台が搬送ベルトを有することを考慮すると、刊行物１には、「搬送装置の露光台上の露光位置」が実質的に記載されている。
　なお、特許権者は、平成１６年１２月２１日付特許異議意見書第３頁第６〜１６行において、刊行物１の明細書、及び図１の記載は不明瞭であると主張しているが、前記のことを考慮すると、刊行物１の明細書、及び図１の記載が不明瞭とはいえない。
　
　前記記載事項と図面の記載からみて、刊行物１には「ネガに記録された画像情報を搬送装置の露光台上の露光位置に配置したペーパーあるいは印画紙に記録し、画像情報の記録されたペーパーあるいは印画紙を搬送装置にて露光位置からペーパープロセサーへ搬送し、搬送されたペーパーあるいは印画紙をペーパープロセサーで搬送しながら所定の処理を行う記録媒体の処理方法であって、画像情報の記録されたペーパーあるいは印画紙を、ペーパーあるいは印画紙に接触する振分手段（露光台が兼用）で露光台からペーパープロセサーへ搬送する方向とは交差する方向に移動させ、ペーパーあるいは印画紙を複数列で並列搬送処理することを特徴とする記録媒体の処理方法。」、及び「ネガに記録された画像情報を搬送装置の露光台上の露光位置に配置したペーパーあるいは印画紙に記録し、画像情報の記録されたペーパーあるいは印画紙を搬送装置にて露光位置からペーパープロセサーへ搬送し、搬送されたペーパーあるいは印画紙をペーパープロセサーで搬送しながら所定の処理を行う記録媒体の処理装置であって、露光台に配置したペーパーあるいは印画紙を、ペーパーあるいは印画紙に接触する（吸着する）ことで露光台からペーパープロセサーへ搬送する方向とは交差する方向に移動させる振分手段（露光台が兼用）を設けたことを特徴とする記録媒体の処理装置。」が記載されている。
　
　（エ）対比・判断
（本件請求項１に係る発明と刊行物１記載の発明との対比）
　刊行物１記載の発明（以下、「引例発明１」という。）の「ネガ」、「ペーパーあるいは印画紙」、「露光台」、「露光位置」、及び「ペーパープロセサー」は、請求項１に係る発明（以下、「本件発明１」という。）の「第１の記録媒体」、「第２の記録媒体」、「露光ステージ」、「画像焼付け位置」、及び「搬送処理装置」にそれぞれ相当するものであるので、両者は「第１の記録媒体に記録された画像情報を搬送装置の露光ステージ上の画像焼付け位置に配置した第２の記録媒体に記録し、画像情報の記録された第２の記録媒体を搬送装置にて画像焼付け位置から搬送処理装置へ搬送し、搬送された第２の記録媒体を搬送処理装置で搬送しながら所定の処理を行う記録媒体の処理方法であって、画像情報の記録された第２の記録媒体を、第２の記録媒体に接触する振分手段で露光ステージから搬送処理装置へ搬送する方向とは交差する方向に移動させ、第２の記録媒体を複数列で並列搬送処理することを特徴とする記録媒体の処理方法。」という点で一致し、次の点で相違する。
　
相違点（Ａ）
　第２の記録媒体を、露光ステージから搬送処理装置へ搬送する方向とは交差する方向に移動させるのに、本件発明１は、露光ステージ上で、露光ステージと別体の振分手段で第２の記録媒体を移動させるのに対して、引例発明１は、露光ステージが振分手段を兼用して、第２の記録媒体を移動させる点。
　
（本件請求項１に係る発明に対する判断）
相違点（Ａ）について：
　本件発明１のように、露光ステージと振分手段を別体としたことにより、引例発明１のものに比して格別な効果を奏するとは認められないので、本件発明１のように、振分手段を露光ステージと別体に設ける点は、第２の記録媒体を露光ステージから搬送処理装置へ搬送する方向と交差させる方向に移動させるための一実施態様にすぎず、引例発明１の構成から当業者が容易に想到することができたものである。
　
〔本件請求項２に係る発明と刊行物１記載の発明（引例発明１）との対比〕
　引例発明１の「ネガ」、「ペーパーあるいは印画紙」、「露光台」、「露光位置」、及び「ペーパープロセサー」は、請求項２に係る発明（以下、「本件発明２」という。）の「第１の記録媒体」、「第２の記録媒体」、「露光ステージ」、「画像焼付け位置」、及び「搬送処理装置」にそれぞれ相当するものであるので、両者は「第１の記録媒体に記録された画像情報を搬送装置の露光ステージ上の画像焼付け位置に配置した第２の記録媒体に記録し、画像情報の記録された第２の記録媒体を搬送装置にて画像焼付け位置から搬送処理装置へ搬送し、搬送された第２の記録媒体を搬送処理装置で搬送しながら所定の処理を行う記録媒体の処理装置であって、露光ステージに配置した第２の記録媒体を、第２の記録媒体に接触することで露光ステージから搬送処理装置へ搬送する方向とは交差する方向に移動させる振分手段を設けたことを特徴とする記録媒体の処理装置。」という点で一致し、次の点で相違する。
　
相違点（Ｂ）
　第２の記録媒体を、露光ステージから搬送処理装置へ搬送する方向とは交差する方向に移動させるのに、本件発明２は、露光ステージ上で、露光ステージと別体の振分手段が第２の記録媒体を移動させるのに対して、引例発明１は、露光ステージが振分手段を兼用して、第２の記録媒体を移動させる点。
　
（本件請求項２に係る発明に対する判断）
相違点（Ｂ）について：
　本件発明２のように、露光ステージと振分手段を別体としたことにより、引例発明１のものに比して格別な効果を奏するとは認められないので、本件発明２のように、振分手段を露光ステージと別体に設ける点は、第２の記録媒体を露光ステージから搬送処理装置へ搬送する方向と交差させる方向に移動させるための一実施態様にすぎず、引例発明１の構成から当業者が容易に想到することができたものである。
　
〔本件請求項３に係る発明と刊行物１記載の発明（引例発明１）との対比〕
　本件請求項３に係る発明（以下、「本件発明３」という。）と引例発明１とは、前記相違点（Ｂ）以外に、次の相違点（Ｃ）で相違する。
　
相違点（Ｃ）
　本件発明３は、振分手段は第２の記録媒体を吸着する振分用吸着手段を有するのに対して、引例発明１は、第２の記録媒体を吸着する露光ステージを振分手段として兼用する点。
　
（本件請求項３に係る発明に対する判断）
相違点（Ｃ）について：
　振分手段が第２の記録媒体を吸着することでは、本件発明３も、引例発明１も同じであり、相違点（Ｃ）における本件発明３の構成は、格別のものとはいえない。
　
〔本件請求項４に係る発明と刊行物１記載の発明（引例発明１）との対比〕
　本件請求項４に係る発明（以下、「本件発明４」という。）と引例発明１とは、前記相違点（Ｂ）以外に、次の相違点（Ｄ）で相違する。
　
相違点（Ｄ）
　本件発明４は、振分手段が第２の記録媒体の端部を押して移動させる移動部材を有するのに対して、引例発明１は、第２の記録媒体を吸着して移動させる露光ステージを振分手段として兼用する点。
　
（本件請求項４に係る発明に対する判断）
相違点（Ｄ）について：
　部材の端部を押して移動させる移動部材は、移動部材としては極く普通のものであるので、振分手段を本件発明４のように、第２の記録媒体の端部を押して移動させる移動部材とする点は単なる設計上の事項にすぎず、相違点（Ｄ）における本件発明４の構成は、格別のものとはいえない。
　
〔本件請求項５に係る発明と刊行物１記載の発明（引例発明１）との対比〕
　本件請求項５に係る発明（以下、「本件発明５」という。）と引例発明１とは、前記相違点（Ｂ）、（Ｃ）、（Ｄ）以外に、次の相違点（Ｅ）で相違する。
　
相違点（Ｅ）
　本件発明５は、露光ステージは、第２の記録媒体を吸着する吸着手段を備え、振分手段が第２の記録媒体を移動させる際には吸着力を低下するのに対して、引例発明１は、露光ステージが振分手段を兼用し、第２の記録媒体を吸着するが、前記のことについての記載がない点。、
　
（本件請求項５に係る発明に対する判断）
相違点（Ｅ）について：
　本件発明５のように、露光ステージと振分手段が別体の場合には、振分手段が第２の記録媒体を移動させる際には、第２の記録媒体の振分方向への移動の邪魔をしないために、露光ステージの吸着力を低下させるのは、極く当然の構成であって、相違点（Ｅ）における本件発明５の構成は、引例発明１において、露光ステージと振分手段とを別体に構成することに伴う当然の設計変更というべきものであって、格別なものとはいえない。
　
〔本件請求項６に係る発明と刊行物１記載の発明（引例発明１）との対比〕
　本件請求項６に係る発明（以下、「本件発明６」という。）と引例発明１とは、前記相違点（Ｂ）、（Ｃ）、（Ｅ）以外に、次の相違点（Ｆ）で相違する。
　
相違点（Ｆ）
　本件発明６は、搬送装置が第２の記録媒体を搬送する際には、振分用吸着手段の吸着力を低下させるのに対して、引例発明１は、そのことについての記載がない点。
　
（本件請求項６に係る発明に対する判断）
相違点（Ｆ）について：
　本件発明６のように、搬送装置と振分用吸着手段が別体の場合には、搬送装置が第２の記録媒体を搬送する際には、第２の記録媒体の搬送方向への移動の邪魔をしないために、振分用吸着手段の吸着力を低下させるのは、当業者であれば普通に想起しうる事項であって、相違点（Ｆ）における本件発明６の構成は、格別なものとはいえない。
　
　そして、本件請求項１〜６に係る発明の効果は、引例発明１の記載から予測される範囲のものである。
　
　（オ）むすび
　以上のとおり、本件請求項１〜６に係る発明は、上記刊行物１記載の発明に基づいて、当業者が容易に発明をすることができたものであるから、本件請求項１〜６に係る発明の特許は、特許法第２９条第２項の規定により特許を受けることができない。
　したがって、本件請求項１〜６に係る発明の特許は拒絶の査定をしなければならない特許出願に対してされたものと認める。
　よって、結論のとおり決定する。
【異議決定日】
平成１７年２月１日（２００５．２．１）
【訂正の要旨】
審決（決定）の【理由】欄参照。
（５４）【発明の名称】
記録媒体の処理方法及び記録媒体の処理装置
（５７）【特許請求の範囲】
　【請求項１】　第１の記録媒体に記録された画像情報を
搬送装置の露光ステージ上の画像焼付け位置
画像焼付け位置
　画像情報の記録された第２の記録媒体を、
第２の記録媒体に接触する振分手段で
　【請求項２】　第１の記録媒体に記録された画像情報を
搬送装置の露光ステージ上の画像焼付け位置
画像焼付け位置
　露光ステージに配置した第２の記録媒体を、
第２の記録媒体に接触することで
　【請求項３】　振分手段は、第２の記録媒体を吸着する振分用吸着手段を有することを特徴とする請求項２に記載の記録媒体の処理装置。
　【請求項４】　振分手段は、第２の記録媒体の端部を押して移動させる移動部材を有することを特徴とする請求項２に記載の記録媒体の処理装置。
　【請求項５】　露光ステージは、第２の記録媒体を吸着する吸着手段を備え、振分手段が第２の記録媒体を移動させる際には吸着力を低下することを特徴とする請求項２乃至４の何れか１項に記載の記録媒体の処理装置。
　【請求項６】　搬送装置が第２の記録媒体を搬送する際には、振分用吸着手段の吸着力を低下させることを特徴とする請求項３又は請求項５に記載の記録媒体の処理装置。
【発明の詳細な説明】
　【０００１】
　【産業上の利用分野】
　本発明は、記録媒体の処理方法及び記録媒体の処理装置に係り、記録媒体を複数列に並列搬送処理する際の記録媒体の処理方法及び記録媒体の処理装置に関する。
　【０００２】
　【従来の技術】
　画像を焼き付けた感光材料（印画紙）を画像駒毎に切断し、切断した感光材料を複数列に分配して並列に現像処理することにより、処理能力を増大する方法が提案されている（実公昭５８−２９４６４号、特開平４−１０６５３７号、特開平６−３３２１１４号等）。
　【０００３】
　この方法によれば、狭幅感光材料の処理能力を上げ、かつ、広幅感光材料まで処理可能になるという利点が生まれる。
　【０００４】
　【発明が解決しようとする課題】
　しかし、この処理装置では、焼付け部と現像処理部との間に、感光材料を複数列に分配する振分手段を必要とすることから、焼付け部から現像処理部までの間にスペースが必要となり（少なくとも、印画紙の搬送方向長さは必要）、処理機のサイズが大きくなるという問題がある。また、焼付け部以降の搬送距離が長くなり、搬送時間が長くなるので、処理コストがアップする等の問題もある。特に、現像処理の処理速度は焼付け部の搬送速度よりも大幅に遅いので、振分手段から現像処理部へ印画紙を挿入する速度は、現像処理部の搬送速度に合わせて遅くせざるを得ず、限界がある。
　【０００５】
　本発明は上記事実を考慮し、搬送距離を長く必要とせず、処理スペースを小さくすることが可能な記録媒体の処理方法及び記録媒体の装置を提供することが目的である。
　【０００６】
　【課題を解決するための手段】
　請求項１に記載の発明は、第１の記録媒体に記録された画像情報を
搬送装置の露光ステージ上の画像焼付け位置
画像焼付け位置
第２の記録媒体に接触する振分手段で
　【０００７】
　請求項２に記載の発明は、第１の記録媒体に記録された画像情報を
搬送装置の露光ステージ上の画像焼付け位置
画像焼付け位置
第２の記録媒体に接触することで
　【０００８】
　請求項３に記載の発明は、請求項２に記載の記録媒体の処理装置において、振分手段は、第２の記録媒体を吸着する振分用吸着手段を有することを特徴としている。
　【０００９】
　請求項４に記載の発明は、請求項２に記載の記録媒体の処理装置において、振分手段は、第２の記録媒体の端部を押して移動させる移動部材を有することを特徴としている。
　【００１０】
　請求項５に記載の発明は、請求項２乃至４の何れか１項に記載の記録媒体の処理装置において、露光ステージは、第２の記録媒体を吸着する吸着手段を備え、振分手段が第２の記録媒体を移動させる際には吸着力を低下することを特徴としている。
　【００１１】
　また、請求項６に記載の発明は、請求項３又は請求項５に記載の記録媒体の処理装置において、搬送装置が第２の記録媒体を搬送する際には、振分用吸着手段の吸着力を低下させることを特徴としている。
　【００１２】
　【作用】
　本発明では、先ず、第１の記録媒体に記録された画像情報が
露光ステージ上の画像焼付け位置
画像焼付け位置
　【００１３】
　ここで、搬送処理装置にて第２の記録媒体が複数列で並列搬送されるように、露光ステージ上の第２の記録媒体を移動することにより、効率良く処理を行うことができる。
　【００１４】
　また、露光ステージと搬送処理装置との間に振分手段が設けられていないので、並列処理する際に露光ステージ以降の搬送経路が長くならず、搬送も短時間で済む。
　【００１５】
　なお、振分手段が振分用吸着手段を備えている場合には、吸着手段で第２の記録媒体を吸着して移動することができる。
　【００１６】
　また、振分手段が移動部材を備えている場合には、第２の記録媒体の端部を押して第２の記録媒体を移動することができる。
　【００１７】
　また、露光ステージが、吸着手段を備えている場合には、第２の記録媒体を露光ステージから搬送処理装置へ搬送する方向とは交差する方向に移動させるときに、その吸着力を低下（又は零にしても良い）させる。これにより、第２の記録媒体の移動が容易になる。
　【００１８】
　また、振分手段が振分用吸着手段を備えている場合には、第２の記録媒体を露光ステージの搬送装置で搬送させるときに、その吸着力を低下（又は零にしても良い）させる。これにより、第２の記録媒体の搬送が容易になる。
　【００１９】
　【実施例】
　本発明の一実施例を図に基づいて説明する。
　【００２０】
　図１には写真プリンタであるプリンタプロセッサ１０の概略が示されている。
　このプリンタプロセッサ１０のプリンタ部を構成する写真焼付部１２は、第２の記録媒体としての印画紙Ｐが収納されたペーパマガジン１４を装填できるような構造となっている。
　【００２１】
　このペーパマガジン１４の図１上、左上側には、印画紙Ｐの先端部付近が巻き掛けられる駆動ローラ１６が回転自在に支持されており、写真焼付部１２内の図示しないモータの駆動力をこの駆動ローラ１６が受けて回転する。また、駆動ローラ１６に対向した位置には、印画紙Ｐを介して一対のニップローラ１８が配置されている。この為、駆動ローラ１６がこれらニップローラ１８との間で印画紙Ｐを挟持して、印画紙Ｐを写真焼付部１２内へ送り出すことになる。
　【００２２】
　他方、写真焼付部１２内には、上下一対の刃からなると共にモータ２０によりこの刃が移動されるカッタ２２が設置されており、ペーパマガジン１４から出て来た印画紙Ｐをこのカッタ２２が即座に切断することになる。
　【００２３】
　図２及び図３に示すように、カッタ２２に対して右側である印画紙Ｐの搬送方向下流側には、上面が水平方向（図２上、左右方向）に沿うように形成された支持台４６が、搬送方向に沿って２個配置されている。
　【００２４】
　支持台４６の両側には、搬送装置としての無端ベルト４４の巻き掛けられる巻掛ローラ５２が水平方向に配置されている。上流側及び下流側の巻掛ローラ５２の上側には、巻掛ローラ５２との間で無端ベルト４４を挟持するニップローラ５４が配置されている。巻掛ローラ５２は、図示しないモータの駆動力によって駆動回転され、無端ベルト４４を図１上、時計回転方向に回転させる。なお、無端ベルト４４上が本発明の露光ステージに相当する。
　【００２５】
　図３に示すように、無端ベルト４４にはその全域に亘って多数の小孔４８が形成されており、この無端ベルト４４の一部が載置される支持台４６の上面には、無端ベルト４４の小孔に対応して多数の孔部（図示せず）が形成されている。
　【００２６】
　この支持台４６の内部は空洞状に形成されており、無端ベルト４４の幅方向両端に対応して形成された一対の連通ダクト６６がこの支持台４６に接続されている。これらの連通ダクト６６は、吸引ファン６８が設けられたファンボックス７０へと接続されている。
　【００２７】
　両支持台４６の間には、印画紙Ｐを無端ベルト４４の搬送方向とは直交する方向に移動させるための振分手段としての振分機構５０が設けられている。
　【００２８】
　振分機構５０は、両支持台４６の間に配設される振分用吸着手段としての吸引部５６を備えている。この吸引部５６は巻掛ローラ５２に沿って長く形成された箱であり、上面には全域に亘って多数の小孔（図示せず）が形成されている。
　【００２９】
　吸引部５６には、ダクト５８が接続されており、このダクト５８は、図１に示すように、吸引ファン６０を備えたファンボックス６２へと接続されている。
　【００３０】
　吸引部５６は、図示しないモータ機構によって巻掛ローラ５２の軸方向に沿って移動できるようになっている。
　【００３１】
　なお、吸引部５６を移動させるモータ機構、吸引ファン６０及び吸引ファン６８は、プリンタプロセッサ１０の外枠を構成するケーシング１０Ａ内に備えられた制御装置としてのコントローラ４３で制御される。
　【００３２】
　他方、図１に示される如く、支持台４６上を移動する無端ベルト４４の上部には、イーゼル装置６４が設けられており、縁有画像を印画紙Ｐ上に焼付露光する場合に、このイーゼル装置６４内の図示しない可動片で印画紙Ｐの周囲を覆うようになっている。
　【００３３】
　また、ケーシング１０Ａの上部には、イーゼル装置６４の直上の位置に、光を拡散する拡散ボックス２８が配置されており、その右隣に、それぞれ光路への挿入フィルタ量を変え得るよう移動可能なＣ、Ｍ、Ｙの３組のフィルタから構成されるＣＣフィルタ２４が配置されている。従って、このＣＣフィルタ２４に隣合って位置する光源２６から照射された光線がＣＣフィルタ２４を通過した後、拡散ボックス２８により拡散されつつ屈曲されて、直下に送られることになる。そして、このケーシング１０Ａの上面に載置されているネガキャリア３０上の第１の記録媒体としてのネガフィルムＮをこの光線が透過する。
　【００３４】
　なお、本実施例のネガフィルムＮは、一般的な１３５サイズのネガフィルムであり、各々の画像のパーフォレーション側には、周知のように駒番号や駒番号に対応するバーコード等が付与されている。
　【００３５】
　写真焼付部１２内に設置されたガイドレール３２には、支持板３４が水平方向（図１上、紙面に対して直交する方向）に移動可能に支持されており、前記光線の光軸線Ｓ上にそれぞれ配置されるようにプリズム３６及びズームレンズ３８がこの支持板３４に取り付けられている。
　【００３６】
　従って、ネガフィルムＮを透過して露光光線となった光線は、プリズム３６を通過した後、さらに拡大倍率を変更可能なズームレンズ３８を通過してイーゼル装置６４の下に位置する印画紙Ｐ上に、ネガフィルムＮの画像を結像させる。
　【００３７】
　また、写真焼付部１２内には、ネガフィルムＮの濃度を測定する例えば色フィルタとＣＣＤ等の光センサにより構成される濃度測定器４０が配置されており、プリズム３６により水平方向に屈曲された光線がこの濃度測定器４０に送られるようになっている。この濃度測定器４０は、制御装置としてのコントローラ４３に接続されており、濃度測定器４０によって測定されたデータ及び、作業者によりキー入力されたデータに基づいて、焼付露光時の露光補正値が設定される。
　【００３８】
　さらに、ズームレンズ３８とイーゼル装置６４の間の光路には、ＣＣフィルタ２４で色と強度が調光されネガフィルムＮを透過した光を、所定時間の間焼付露光するブラックシャッタ４１が設けられている。
　【００３９】
　図２に示すように、支持台４６に対して印画紙Ｐの搬送方向下流側には、ローラ群６５が配置されており、このローラ群６５に対して印画紙Ｐの搬送方向下流側には、印画紙Ｐの裏面に印字を行う印字ユニット６７が設けられている。
　【００４０】
　印字ユニット６７に対して印画紙Ｐの搬送方向下流側には、アキュムレーター８６が配置されている。アキュムレーター８６は、図示しないモーターで回転される複数の挟持ローラ８８を備えている。
　【００４１】
　図１に示すように、アキュムレーター８６の搬送方向下流側には、プロセッサ部７２が設けられている。
　【００４２】
　プロセッサ部７２の現像槽７４には現像液が溜められていて、印画紙Ｐをこの現像液に浸して現像処理を行う。現像処理された印画紙Ｐは現像槽７４と隣接する漂白定着槽７６へ搬送される。漂白定着槽７６には漂白定着液が溜められていて、印画紙Ｐをこの漂白定着液に浸して漂白処理及び定着処理を行う。定着処理された印画紙Ｐは、漂白定着槽７６に隣接すると共にそれぞれ水洗水が溜められた複数の水洗槽からなる水洗部７８へ搬送され、印画紙Ｐを水洗槽内の水洗水に浸して水洗処理を行う。なお、上記の現像槽７４、漂白定着槽７６及び水洗部７８の水洗槽は、プロセッサ部７２内に設置された複数の補充タンク９０よりそれぞれ現像補充液、漂白定着補充液及び水洗補充水が送られて、それぞれの槽内の液へ補充されるようになっている。
　【００４３】
　水洗処理された印画紙Ｐは水洗部７８の上部に位置する乾燥部８０へ搬送される。乾燥部８０は、印画紙Ｐの搬送経路の下側に配置されたチャンバ８２側より矢印Ｂ方向に沿って送風される熱風に印画紙Ｐをさらして、印画紙Ｐを乾燥させる。
　【００４４】
　乾燥部８０に対して印画紙Ｐの搬送方向下流側には複数対のローラ８３によって構成される搬送路８４が配設されており、乾燥処理が終了して乾燥部８０から排出された印画紙Ｐは、これら複数対のローラにそれぞれ挟持されてプリンタプロセッサ１０の外部へ排出される。
　【００４５】
　搬送路８４の印画紙Ｐの排出側にはソーター９２が設けられている。
　図４及び図５に示すように、ソーター９２は、搬送路８４の印画紙Ｐの排出側の下側に、搬送路８４の搬送方向と直交する方向に印画紙Ｐを搬送する集積用搬送装置としてのベルトコンベア９４を備えており、ベルトコンベア９４の搬送方向下流側の下側に、印画紙Ｐを集積する複数の受皿９５を有する集積部９６を備えている。なお、受皿９５は、図示しない駆動装置によってベルトコンベア９４の搬送方向とは直交する方向に移動可能となっている。
　【００４６】
　次に、本実施例の作用を説明する。
　以下の説明は、例えば、ネガフィルムＮ１本に記録された画像を１駒に付き１枚づつプリントする際の説明である。
　【００４７】
　ペーパマガジン１４から送り出された未露光の印画紙Ｐは、カッタ２２で所望長さに切断された後に、無端ベルト４４に乗せられて露光光線の光軸線Ｓ上の位置である画像焼付位置へと搬送される（図２、図３参照）。
　【００４８】
　そして、オペレーターが所定の操作を行うと、光源２６側からの露光光線がプリズム３６及びズームレンズ３８等を介して印画紙Ｐに到達し、ブラックシャッタ４１が所定時間開くことにより、ネガフィルムＮに記録された１駒目の画像が印画紙Ｐ上に焼付露光される。
　【００４９】
　この際、支持台４６内の空気は、連通ダクト６６を介して無端ベルト４４のループ内から幅方向両端へ抜け出し、吸引ファン６８で吸引されて外部へ吹き出されるので、支持台４６内が負圧となる。この負圧は支持台４６の孔部、無端ベルト４４の小孔を介して無端ベルト４４上の印画紙Ｐへと伝達され、印画紙Ｐが無端ベルト４４へ吸引される。この為、印画紙Ｐが単に無端ベルト４４に乗せられるだけでなく、無端ベルト４４側に吸引されるので、印画紙Ｐが、確実に無端ベルト４４により搬送されると共に、画像焼付位置上で水平状態に配置されることになる。
　【００５０】
　画像の焼付けが終了すると、吸引ファン６８が停止して印画紙Ｐの吸引が一旦解除され、その後、吸引ファン６０が作動して吸引部５６が印画紙Ｐを吸引する。印画紙Ｐを吸引した吸引部５６は、モータ機構によって矢印Ｂ方向に移動し、印画紙Ｐを図３の想像線で示す位置に移動する。
　【００５１】
　矢印Ｂ方向側に印画紙Ｐが移動した後は、吸引ファン６０が停止して吸引部５６による吸引は停止し、吸引ファン６８が再び作動し、印画紙Ｐは無端ベルト４４に吸引されてアキュムレーター８６側へ搬送され、無端ベルト４４とニップローラ５４とに挟持されてアキュムレーター８６側へと送り出される。印画紙Ｐが吸引部５６から離れると、吸引部５６はモータ機構によって画像焼付位置へと戻る。
　【００５２】
　なお、印画紙Ｐは、画像焼付位置からアキュムレーター８６側へ搬送される途中で印字ユニット６７により裏面に印字（駒番号等）が行われる。また、次の露光を行うために、画像の焼付けられた印画紙Ｐは、画像焼付位置からアキュムレーター８６へ迅速に搬送される。
　【００５３】
　無端ベルト４４及びニップローラ５４から印画紙Ｐの搬送方向後端が離れると、挟持ローラ８８は、プロセッサ部７２の搬送速度に合わせて印画紙Ｐを低速でプロセッサ部７２へと送り込む。
　【００５４】
　画像の焼付けられた印画紙Ｐがアキュムレーター８６へ排出されると、所定の長さにカットされた未露光の印画紙Ｐが無端ベルト４４により画像焼付位置に搬送され、２駒目の画像の焼き付け露光が行われる。
　【００５５】
　この２枚目の印画紙Ｐは、画像焼付け後に吸引部５６に吸引されて１枚目の印画紙Ｐとは反対側（矢印Ｆ方向）に移動されてからアキュムレーター８６へと搬送される。以後、同様にして画像の焼き付けられた印画紙Ｐは振分機構５０によって無端ベルト４４の搬送方向に対して直交する方向に交互に振り分けられる。
　【００５６】
　アキュムレーター８６から送り出された印画紙Ｐは、プロセッサ部７２へ搬送され現像、漂白定着、水洗及び乾燥の各処理が行われて搬送路８４のローラ８３に挟持搬送され、最後のローラ８３から搬送方向後端が離れると印画紙Ｐはプロセッサ部７２の上部に設けられたベルトコンベア９４に落下する。
　【００５７】
　ところで、ネガフィルムＮに記録されている画像には、種々のアスペクト比が混在することがあり、これにあわせて印画紙Ｐの搬送方向の長さも種々混在することがあるが、上記のように、画像の焼付けられた印画紙Ｐをアキュムレーター８６へ排出した後に、次の焼付けを行うので、印画紙Ｐの搬送方向長さが各々異なっていてもプロセッサ部７２で搬送される印画紙Ｐの搬送方向後端は、図６（Ｂ）に示すようにネガフィルムＮに記録されている画像順となる（なお、図６中の印画紙Ｐに記載されている数字は駒順を示し、アルファベットは焼付け順を示している。）。
　【００５８】
　したがって、印画紙Ｐは、搬送方向長さが各々異なっていてもネガフィルムＮに記録されている画像順にベルトコンベア９４に落下する。
　【００５９】
　ベルトコンベア９４に落下した印画紙Ｐは、集積部９６側へ搬送され、ベルトコンベア９４端部から落下した印画紙Ｐは受皿９５に駒順に積み重ねられる（駒番号１の画像の焼付けられた印画紙Ｐが一番下になる。）。
　【００６０】
　本実施例のプリンタプロセッサ１０では、露光ステージ（無端ベルト４４上）で印画紙Ｐの振り分けを行うので、露光ステージとプロセッサ部との間に振分装置を設けて振り分けたプリンタプロセッサよりも、露光ステージ以降の搬送距離を短くすることができ、また短時間で全体の搬送時間を短縮することができる。
　【００６１】
　なお、先にも述べた従来の処理装置では、露光済みの印画紙をただ単に焼付け順に振り分けていたため、大きさの異なる印画紙を混在して並列搬送すると、例えば図６（Ａ）に示すように搬送方向後端が駒順とならず、駒順に集積出来なくなる事がある。
　【００６２】
　ところで、前記実施例では、印画紙Ｐを吸引部５６に吸引させて移動したが、これに限らず、図７に示すように、吸引部５６の代わりに、無端ベルト４４の上面よりも所定寸法突出する移動部材５７を一対設け、この移動部材５７の間に配置された印画紙Ｐを押すことによって移動するようにしても良い。
　【００６３】
　また、前記実施例では、ネガフィルムＮの画像を印画紙Ｐに焼き付ける例を示したが、フロッピーディスク、光磁気ディスク、ＣＤ−ＲＯＭ、フォトＣＤ、ＬＳＩメモリー等の各種記録媒体に記録された画像情報をレーザー光等で印画紙Ｐに焼き付けても良い。
　【００６４】
　また、画像を記録する（焼き付ける）のは、印画紙Ｐ以外の記録媒体であっても良い。
　【００６５】
　また、前記実施例では、印画紙Ｐを２列に振り分けて並列搬送処理を行ったが、本発明は、２列以上の複数列で並列搬送処理できることは勿論である。
　【００６６】
　また、１オーダー（１本分のネガフィルムＮ）分の画像の大きさを予め読み込んで焼付け順序及び振り分けを制御すれば、図６（Ｃ）に示すように印画紙Ｐの１オーダー分の搬送方向長さを短く詰めることも可能である。
　【００６７】
　【発明の効果】
　本発明では、露光ステージ上で第２の記録媒体を振り分けるので、並列処理する際に露光ステージ以降の搬送経路が長くならず、搬送も短時間で済む。
【図面の簡単な説明】
　【図１】
　プリンタプロセッサの内部構成を示す側面図である。
　【図２】
　露光部及びアキュムレーターの側面図である。
　【図３】
　露光部及びアキュムレーターの要部の平面展開図である。
　【図４】
　ソーター部分の平面図である。
　【図５】
　図４に示すソーター部分の矢印Ａ方向矢視図である。
　【図６】
　（Ａ）乃至（Ｃ）は、印画紙を２列搬送する際の搬送パターン図である。
　【図７】
　振分機構の他の実施例である。
　【符号の説明】
　　Ｎ　　ネガフィルム（第１の記録媒体）
　　Ｐ　　印画紙（第２の記録媒体）
　４３　　コントローラ
　４４　　無端ベルト（搬送装置、露光ステージ）
　５０　　振分機構（振分手段）
　５６　　吸引部（振分用吸着手段）
　５７　　移動部材
　７４　　現像槽（搬送処理装置）
　７６　　漂白定着槽（搬送処理装置）
　７８　　水洗部（搬送処理装置）
　８０　　乾燥部（搬送処理装置）
　９４　　ベルトコンベア（集積用搬送装置）